(57)【要約】【課題】  流し台に向かって垂下支持されて水切りを行うための台所用具の垂れ水をすべて流し台の水流しエリアに落水させる台所用具の傾斜保持方法とそれに使用される傾斜保持用の水切りフックを提供する。【解決手段】  台所用具５の１つである柄付ブラシ９は固定側に固定される水切りフック１の係着部２に係止して垂下支持されるが、この水切りフック１は係着部２の他に柄付ブラシ９を前方に傾斜させる拘束部３が設けられている。この拘束部の形状や位置を工夫することにより柄付ブラシ９の先端部のブラシ部１２を水流しエリア１５内に向けることができる。【選択図】  図１
2008073154.tif 000002
【特許請求の範囲】
【請求項１】
洗浄されて流し台上にその基端側の係止部を介して垂下保持される単数又は複数の台所用具の垂下端からの垂れ水を前記流し台の水流しエリアに落水させるための台所用具の保持方法であって、該方法は、前記台所用具の垂下端が前記水流しエリア上に来るように前記係止部の係止姿勢を前記台所用具の自由姿勢である垂下方向（垂直方向）から傾斜した状態を保持すべく拘束することを特徴とする台所用具の傾斜保持方法。
【請求項２】
洗浄されて流し台上にその基端側の係止部を介して垂下保持される単数又は複数の台所用具の垂下端からの垂れ水を前記流し台の水流しエリアに落水させるために前記係止部の係着姿勢を傾斜させるべく固定側に固着されるフックであって、該フックは、前記台所用具の係止部の係止する係着部と、該係着部又はその近傍に配置され垂下支持される前記台所用具を自由状態の垂直方向（垂下方向）から前向きに傾斜保持すべく拘束するための拘束部とを有することを特徴とする大所用具の傾斜保持用の水切りフック。
【請求項３】
前記拘束部が、前記係着部と別体又は一体に形成されるものであることを特徴とする請求項１に記載の台所用具の傾斜保持用の水切りフック。
【発明の詳細な説明】
【技術分野】
【０００１】
本発明は、洗浄されて流し台上に垂下支持される台所用具の垂下端からの落水を常に流し台の水流しエリア内に落水させるための台所用具の傾斜保持方法とそれに使用される傾斜保持用の水切りフックに関する。
【背景技術】
【０００２】
洗浄されて流し台上に垂下支持される用具（以下、台所用具と総称する）としては各種のものがあり、例えば、食器洗浄用のブラシを有する柄付きブラシ，そばやうどん等の水切りを行うためのメッシュカゴ，係止部のある各種のコップや食器や瓶等と極めて数多くのものがある。これ等を洗浄後において水切りのために保持する手段や方法としては各種のものがあるが、通常は流し台上に垂下支持されて垂れ水を重力により落水させて水切りするものが使用されている。
この水切り方法は、台所用具の基端側の係止部を流し台上に固定されているフックに係着して垂直方向に垂下支持して行うものが一般である。
以上の水切り方法を行う公知技術としては各種のものがあるが、例えば、「特許文献１」や「特許文献２」が挙げられる。
【特許文献１】登録実用新案第３０５１０５０号（図１）
【特許文献１】意匠登録第１２７８１４２号（正面図）
【発明の開示】
【発明が解決しようとする課題】
【０００３】
「特許文献１」の「登録実用新案第３０５１０５０号」の「台所用小道具立て」は、各種の用具の基端側に形成される係止部を支柱（２）のまわりに形成されている吊り下げ用フック（３）に係着するもので、すべての用具は垂下方法に垂下支持される構造のものからなる。
また、「特許文献２」の「意匠登録第１２７８１４２号」の「小物掛け用フック」は、その正面図にあるように図略の小物の係止部を係着する半弧状のフックからなる。この場合も前記半弧状のフックに係着する用具（台所用具を含む）は垂直方法に垂下保持されることになる。
【０００４】
図６は、通常の流し台１４とその上方に垂下保持されている台所用具５との主に位置関係を示す模式的側面図である。この場合、通常は台所用具５の係着するフック１００は固定側の壁１６に固着され台所用具５はこのフック１００に係着した状態で垂下支持される。一方、流し台１４と壁１６と間には図示のように若干の隙間１７が形成される場合が多い。そのためフック１００に垂下保持されている台所用具５の垂下端からの垂れ水は流し台１４内に落水しないで隙間１７に落水する場合が多い。そのため、落水箇所に水たまりが生じ、種々の不具合の発生原因となる。また、仮りに隙間１７が殆どない状態で流し台１４が設置されたとしても台所用具５からの落水が流し台１４の水流しエリア１５内に落水しない場合も多く、前記のような不具合の原因となる。
以上の不具合を解消する方法や手段としては各種のものが考えられるが、最も効果的な方法としては台所用具を傾斜させて垂下端からの垂れ水を常に流し台の水流しエリアに落水するようにすればよく、そのための手段としてはフックの形状を工夫することが最も簡便であり、効果的のものであると思われる。
【０００５】
本発明は、以上の事情に鑑みて発明されたものであり、最も簡便の方法及び手段により、台所用具からの垂れ水を必ず流し台の水流しエリア内に落水させるようにした台所用具の傾斜保持方法とそれに使用される傾斜保持用の水切りフックを提供することを目的とする。
【課題を解決するための手段】
【０００６】
本発明は、以上の目的を達成するために、請求項１の発明は、洗浄されて流し台上にその基端側の係止部を介して垂下保持される単数又は複数の台所用具の垂下端からの垂れ水を前記流し台の水流しエリアに落水させるための台所用具の保持方法であって、該方法は、前記台所用具の垂下端が前記水流しエリア上に来るように前記係止部の係止姿勢を前記台所用具の自由姿勢である垂下方向（垂直方向）から傾斜した状態を保持すべく拘束することを特徴とする。
【０００７】
また、請求項２の発明は、洗浄されて流し台上にその基端側の係止部を介して垂下保持される単数又は複数の台所用具の垂下端からの垂れ水を前記流し台の水流しエリアに落水させるために前記係止部の係着姿勢を傾斜させるべく固定側に固着されるフックであって、該フックは、前記台所用具の係止部の係止する係着部と、該係着部又はその近傍に配置され垂下支持される前記台所用具を自由状態の垂直方向（垂下方向）から前向きに傾斜保持すべく拘束するための拘束部とを有することを特徴とする。
【０００８】
また、請求項３の発明は、前記拘束部が、前記係着部と別体又は一体に形成されるものであることを特徴とする。
【発明の効果】
【０００９】
本発明の請求項１の「台所用具の傾斜保持方法」によれば、台所用具は係止部の係着姿勢が垂直方向に垂下されるものでなく、これから傾斜して常に垂下端が水流しエリアに向くようにするため、垂れ水は水流しエリア以外には落水せず前記の目的を確実に果すことができる。
【００１０】
また、本発明の請求項２の「台所用具の傾斜保持用の水切りフック」によれば、通常の形成の係着部を有するフックに拘束部を形成する簡便の方法により、台所用具は垂直方向から前向きに安定状態で傾斜するため、垂れ水を水流しエリアに向けることが容易にできる。
【００１１】
また、本発明の請求項３の「台所用具の傾斜保持用の水切りフック」によれば、拘束部は係着部そのものに形成される一体形状のものや係着部の近傍に配置される別体のものからなり、各所の形状のものを自由に設定でき、前記目的を完全に、かつ確実に達成することができる。
【発明を実施するための最良の形態】
【００１２】
以下、本発明の台所用具の傾斜保持方法とそれに使用される傾斜保持用の水切りフックの実施の形態を図面を参照して詳述する。
【実施例１】
【００１３】
実施例１は、台所用具５の１つとして図５に示すような食器洗浄用の柄付ブラシ９によるものを示す。また、この場合の水切りフックは別体の拘束部を有するものである。
食器洗浄用の柄付ブラシ９は、頂部に丸孔１０の把持部１１を有し、垂下端（先端）にブラシ部１２を形成し、ブラシ部１２と把持部１１との間をワイヤ１３で連結したものからなる。この柄付ブラシ９は、丸孔１０が前記係止部に相当するものであり、この丸孔１０を水切りフックの係着部に係着保持されるものからなる。
【００１４】
この柄付ブラシ９が係着される水切りフック１の構造を図１（ａ），（ｂ）に示す。図示のように水切りフック１は、これを固定側に固着するためのベース板４と、ベース板４の表面側の下方に突出して形成される略半弧の係着部２と、係着部２の下面に貼着される拘束部３とからなる。この拘束部３の形状は係着部２に係止される柄付ブラシ９が垂直方向に沿って垂下されることを拘束するものであればよく、その形状や材質は特に限定するものではない。但し、係着部２に係止された柄付ブラシ９の先端のブラシ部１２が流し台１４の水流しエリア１５内に入るように傾斜させる形状のものであることが必要である。
図１（ａ），（ｂ）は以上の構造の水切りフック１に図５で示した柄付ブラシ９を係止した状態を示す。柄付ブラシ９はその把持部１１の丸孔１０を係着部２に入れた状態で係着部２に係止されるが、把持部１１が拘束部３に当接し、それ以上垂直方向に移動することを拘束される。そのため、柄付ブラシ９は図示のように角度θだけ傾斜した状態で係着部に係止して保持される。以上のように角度θを所望の値にするように拘束部３を形成することにより、柄付ブラシ９のブラシ部１２は水流しエリア１５内に位置付けされる。従って、ブラシ部１２からの垂れ水はすべて水流しエリア１５内に落水することになる。
【実施例２】
【００１５】
図２は、実施例１の場合と同様に別体の拘束部を用いたものからなる。この拘束部３ａはパイプ状のものからなる。即ち、別体のパイプ材３Ａを水切りフック１ａの係着部２ａに嵌入せしめ、このパイプ材３ｂの前端で柄付ブラシ９の把持部１１を受けるようにしたものである。これにより、柄付ブラシ９を傾斜保持することができる。
【実施例３】
【００１６】
この実施例は図３に示すように水切りフック１ｂは、拘束部が係着部２ｂと一体化したものである。即ち、図示のようにベース板４ｂから係着部２ｂと拘束部３ｂが突出して形成されたものからなり、拘束部３ｂは係着部２ｂの下方に配置され、これより突出長の長いものからなる。そのため、係着部２ｂに係着した台所用具（柄付ブラシ９）は係着部２ｂに係止した場合には拘束部３ｂにより前記に傾斜されることになる。
以上の他に各種構造の水切りフックがあるが、これ等のものは前記の実施例１乃至３のものと同一技術的範疇にあるものであり、その説明を省略する。
【実施例４】
【００１７】
以上の実施例１乃至３では台所用具として単一の柄付ブラシ９を係止する水切りフックについて説明したが、本実施例では複数個の台所用具を係止する場合について説明する。図４に示すように、例えば、壁側の流し台の上方に例えば細長のプレート６を固定し、このプレートに前記したような水切りフック１等を適宜の間隔で配置する。図４では前記した柄付ブラシ９やそば等の水切りを行うフィルタ容器７やたわし皿８等が台所用品として配列される場合を示すが、勿論これ等に限定するものではない。以上の各種の台所用具に対応してプレート６に水切りフック１等を配置することによりこれ等のすべての台所用具を流し台の水流しエリアに向けることができる。
【産業上の利用可能性】
【００１８】
以上のように、本発明は各種の台所用具の垂れ水を流し台の水流れエリアに向けるようにしたものであるが、台所用具としては前記のように台所でのみしか使用しないものに限定するものではなく、洗浄して水洗いの必要な用具に対しても適用可能であり、その利用範囲は広い。
【図面の簡単な説明】
【００１９】
【図１】本発明の水切りフック及びこれに係止する台所用具の１つである柄付ブラシを示す斜視図（ａ）及び側面図。
【図２】本発明の水切りフックの他の実施例を示す側面図。
【図３】本発明の一体型の水切りフックを示す側面図。
【図４】複数個の台所用具を係止するフック群を示す模式的斜視図。
【図５】台所用具の１つとしてのブラシを示す正面図。
【図６】垂下支持される従来の台所用具と流し台との関係位置と問題点を説明するための模式的側面図。
【符号の説明】
【００２０】
１    水切りフック
１ａ  水切りフック
１ｂ  水切りフック
２    係着部
２ａ  係着部
２ｂ  係着部
３    拘束部
３ａ  拘束部
３ｂ  拘束部
３Ａ  パイプ材
４    ベース板
４ｂ  ベース板
５    台所用具
６    プレート
７ａ  フィルタ容器
８    たれ皿
９    柄付ブラシ
１０  丸孔
１１  把持部
１２  ブラシ部
１３  ワイヤ
１４  流し台
１５  水流しエリア
１６  壁
１７  隙間
【図１】
2008073154.tif 000003
【図２】
2008073154.tif 000004
【図３】
2008073154.tif 000005
【図４】
2008073154.tif 000006
【図５】
2008073154.tif 000007
【図６】
2008073154.tif 000008